(57)【要約】【課題】主制御基板を収納するケースを遊技機から取り外しにくくして、主制御基板が不正なものに交換される不正行為を防止する。【解決手段】主制御基板１８の表面側を覆う第１ケース部材２５ａと主制御基板１８の裏面側を覆う第２ケース部材２５ｂとを有するケース２５が第１固定手段９１によって遊技機の筺体２側に固定され、ケース２５には、第１ケース部材２５ａと第２ケース部材２５ｂとの結合状態を維持するとともにこのケース２５が遊技機１の筺体２側へ固定された状態で封止する第１封止手段３０が設けられ、第１封止手段３０と第１固定手段９１は被覆部材１０４によって被覆され、被覆部材１０４は、第２固定手段１０５によって遊技機１の筺体２側に固定されている。【選択図】  図４
2008173379.tif 000002
【特許請求の範囲】
【請求項１】
主制御基板の表面側を覆う第１ケース部材と主制御基板の裏面側を覆う第２ケース部材とを有するケースが第１固定手段によって遊技機の筺体側に固定され、
ケースには、第１ケース部材と第２ケース部材との結合状態を維持するとともにこのケースが遊技機の筺体側に固定された状態で封止する第１封止手段が設けられ、
第１封止手段と第１固定手段は被覆部材によって被覆され、被覆部材は、第２固定手段によって遊技機の筺体側に固定されていることを特徴とする主制御基板の固定構造。
【請求項２】
主制御基板の表面側を覆う第１ケース部材と主制御基板の裏面側を覆う第２ケース部材とを有するケースが第１固定手段によって遊技機の筺体側に固定され、
ケースには、第１ケース部材と第２ケース部材との結合状態を維持して封止する第２封止手段が設けられ、
第２封止手段と第１固定手段は被覆部材によって被覆され、被覆部材は、第２固定手段によって遊技機の筺体側に固定されていることを特徴とする主制御基板の固定構造。
【請求項３】
主制御基板の表面側を覆う第１ケース部材と主制御基板の裏面側を覆う第２ケース部材とを有するケースが第１固定手段によって筺体側に固定され、
ケースには、第１ケース部材と第２ケース部材との結合状態を維持するとともにこのケースが遊技機の筺体側に固定された状態で封止する第１封止手段が設けられ、
第２封止手段と第１固定手段は被覆部材によって被覆され、被覆部材は第２固定手段によって筺体側に固定されていることを特徴とする遊技機。
【請求項４】
主制御基板の表面側を覆う第１ケース部材と主制御基板の裏面側を覆う第２ケース部材とを有するケースが第１固定手段によって筺体側に固定され、
ケースには、第１ケース部材と第２ケース部材との結合状態を維持して封止する第２封止手段が設けられ、
第２封止手段と第１固定手段は被覆部材によって被覆され、被覆部材は第２固定手段によって筺体側に固定されていることを特徴とする遊技機。
【請求項５】
前記ケースには、第１ケース部材と第２ケース部材との結合状態を維持して封止する第２封止手段が設けられ、第２封止手段は前記被覆部材によって覆われていることを特徴とする請求項３に記載の遊技機。
【請求項６】
前記第２固定手段は、遊技機の筺体側に係止されると共に固定具を介して被覆部材を固定するための固定部材を有することを特徴とする請求項３〜５のいずれか１項に記載の遊技機。
【請求項７】
前記固定部材は複数の固定具を介して被覆部材を固定できるように構成されていることを特徴とする請求項６に記載の遊技機。
【発明の詳細な説明】
【技術分野】
【０００１】
本発明は、例えばスロットマシン、パチンコ機等の遊技機に用いられる主制御基板の固定構造およびこの固定構造を備えた遊技機に関する。
【背景技術】
【０００２】
従来、遊技機に用いられる主制御基板の固定構造として、例えば特許文献１に示されるように、ベース部材と、ベース部材に組みつけられるカバー部材とを備えた基板ケース内に主制御基板を収納し、ベース部材を遊技機に取り付けるようにしたものがある。
【０００３】
この固定構造では、基板ケースに第３者の不正行為を防止するために、基板ケースに封止部が設けられている。この封止部は被覆部材により覆われている。
【特許文献１】特開２００２−１１３２３２号公報
【発明の開示】
【発明が解決しようとする課題】
【０００４】
従来の主制御基板の固定構造では、封止部によって、カバー部材が不正に開けられることを防止している。しかしながら、特許文献１記載の封止構造を基板ケースの固定構造に適用して基板ケースの固定構造を構成したとしても、遊技機に取り付けられているベース部材を取り外し、基板ケースごと他のものと交換して、封止部分にシール等を貼るなどして封止解除の痕跡を巧妙に隠蔽する不正行為がなされるおそれがある。
【０００５】
また、カバー部材の封止部と、基板ケースの固定構造の封止部を別個に設け、カバー部材の封止を単独で解除可能な構造とした場合、遊技機に基板ケースを取り付けた状態のまま、カバー部材の封止部を解除してケース内部のＲＯＭ等を交換し、カバー部材を他のものと交換した上で、上記と同様に封止解除の痕跡を巧妙に隠蔽する不正行為がなされるおそれがある。
【０００６】
このような不正行為がなされた場合には、遊技機の設置台数が多く、各台ごとの点検が十分に行えない場合には、不正がなされた事実を長期間発見できず、被害が拡大してしまうことが考えられる。
【０００７】
このような不正行為を抑止するには、上記したような従来技術の如く封止が解除された場合にその痕跡を残すための構造だけでは十分ではなく、不正行為を未然に防ぐ構造が必要である。
【０００８】
そこで、基板ケースの封止部あるいは基板ケースの固定構造に外部から簡単に操作を加えることができず、なおかつ基板ケースの取り外しに時間がかかり、短時間で不正行為を完了させない構造が望まれる。
【０００９】
本発明はこのような事情に鑑みてなされたものであり、主制御基板を収納するケースを遊技機から取り外しにくくして、主制御基板が不正なものに交換される不正行為を抑止することができる主制御基板の固定構造および遊技機を提供することを課題とする。
【課題を解決するための手段】
【００１０】
本発明に係る主制御基板の固定構造は、上記課題を解決するためになされたもので、主制御基板の表面側を覆う第１ケース部材と主制御基板の裏面側を覆う第２ケース部材とを有するケースが第１固定手段によって遊技機の筺体側に固定され、ケースには、第１ケース部材と第２ケース部材との結合状態を維持するとともにこのケースが遊技機の筺体側に固定された状態で封止する第１封止手段が設けられ、第１封止手段と第１固定手段は被覆部材によって被覆され、被覆部材は、第２固定手段によって遊技機の筺体側に固定されていることを特徴とする。
【００１１】
かかる構成によれば、被覆部材が第１固定手段および第１封止手段を覆っていることから、筺体側から主制御基板をケースごと取り外そうとする場合には、被覆部材を先に取り外さなければならなくなる。したがって、ケースの取り外しに手間がかかり、その分、ケースが取り外されにくくなる。
【００１２】
これによって、本発明に係る主制御基板の固定構造は、ケースが取り外されたり、ケースが開けられたりすることによる不正行為を抑止できるようになる。
【００１３】
また、本発明に係る主制御基板の固定構造は、上記課題を解決するためになされたもので、主制御基板の表面側を覆う第１ケース部材と主制御基板の裏面側を覆う第２ケース部材とを有するケースが第１固定手段によって遊技機の筺体側に固定され、ケースには、第１ケース部材と第２ケース部材との結合状態を維持して封止する第２封止手段が設けられ、第２封止手段と第１固定手段は被覆部材によって被覆され、被覆部材は、第２固定手段によって遊技機の筺体側に固定されていることを特徴とする。
【００１４】
かかる構成によれば、被覆部材が第１固定手段および第２封止手段を覆っていることから、筺体側から主制御基板をケースごと取り外そうとする場合には、被覆部材を先に取り外さなければならなくなる。したがって、ケースの取り外しに手間がかかり、その分、ケースが取り外されにくくなる。
【００１５】
これによって、本発明に係る主制御基板の固定構造は、ケースが取り外されたり、ケースが開けられたりすることによる不正行為を抑止できるようになる。
【００１６】
本発明に係る遊技機は、上記課題を解決するためになされたもので、主制御基板の表面側を覆う第１ケース部材と主制御基板の裏面側を覆う第２ケース部材とを有するケースが第１固定手段によって筺体側に固定され、ケースには、第１ケース部材と第２ケース部材との結合状態を維持するとともにこのケースが筺体側に固定された状態で封止する第１封止手段が設けられ、第１封止手段と第１固定手段は被覆部材によって被覆され、被覆部材は第２固定手段によって筺体側に固定されていることを特徴とする。
【００１７】
かかる構成によれば、被覆部材が第１固定手段および第１封止手段を覆っていることから、筺体側から主制御基板をケースごと取り外そうとする場合には、被覆部材を先に取り外さなければならなくなる。したがって、ケースの取り外しに手間がかかり、その分、ケースが取り外されにくくなる。
【００１８】
これによって、本発明に係る遊技機は、ケースが取り外されたり、ケースが開けられたりすることによる不正行為を抑止できるようになる。
【００１９】
また、本発明に係る遊技機は、上記課題を解決するためになされたもので、主制御基板の表面側を覆う第１ケース部材と主制御基板の裏面側を覆う第２ケース部材とを有するケースが第１固定手段によって筺体側に固定され、ケースには、第１ケース部材と第２ケース部材との結合状態を維持して封止する第２封止手段が設けられ、第２封止手段と第１固定手段は被覆部材によって被覆され、被覆部材は第２固定手段によって筺体側に固定されていることを特徴とする。
【００２０】
かかる構成によれば、被覆部材が第１固定手段および第２封止手段を覆っていることから、筺体側から主制御基板をケースごと取り外そうとする場合には、被覆部材を先に取り外さなければならなくなる。したがって、ケースの取り外しに手間がかかり、その分、ケースが取り外されにくくなる。
【００２１】
これによって、本発明に係る遊技機は、ケースが取り外されたり、ケースが開けられたりすることによる不正行為を抑止できるようになる。
【００２２】
また、第１封止手段、第２封止手段、第１固定手段を被覆部材によって一緒に覆うことにより、さらに不正行為を抑止することができるようになる。
【００２３】
また本発明に係る遊技機にあっては、前記第２固定手段は、遊技機の筺体側に係止されると共に固定具を介して被覆部材を固定するための固定部材を有することを特徴とする。
【００２４】
かかる構成によれば、被覆部材は、固定部材と固定具を介して遊技機の筺体に確実に固定されることになり、これによって、より確実に不正行為を抑止できるようになる。
【００２５】
また本発明に係る遊技機にあっては、前記固定部材は複数の固定具を介して被覆部材を固定できるように構成されていることを特徴とする。
【００２６】
かかる構成によれば、被覆部材は、複数の固定具によって筺体側に固定されるため、被覆部材を取り外そうとする場合に時間がかかり、被覆部材を取り外しにくくなり、これによって不正行為を抑止できるようになる。
【発明の効果】
【００２７】
本発明によれば、主制御基板を収納するケースを遊技機から取り外しにくくして、主制御基板が不正なものに交換される不正行為を抑止できる。
【発明を実施するための最良の形態】
【００２８】
以下、本発明の実施の形態について図面を参照しながら説明する。
【００２９】
図１〜図１７は、本発明に係る主制御基板の固定構造およびこの固定構造を備えた遊技機の一実施形態を示している。図１、図２は、本発明に係る遊技機１の例としてスロットマシンを示している。                                                            
【００３０】
この遊技機１は、筺体２と、この筺体２に開閉自在に取り付けられた前扉３を有する。
【００３１】
図１に示すように、前扉３の表側の上部には、筺体２の内側に設けられた３個のリール５ａ、５ｂ、５ｃを表示するための表示部６が設けられている。前扉３の表側の中央部には、リール５ａ、５ｂ、５ｃを始動させるレバー８、リール５ａ、５ｂ、５ｃを停止させる停止スイッチ９、電子データ形式で貯留されたクレジットメダルからゲームへの賭けメダルを設定するためのベットスイッチ１０、クレジットメダルを精算するための精算スイッチ１１、メダル投入口１４等が設けられている。前扉３の表側の下部には、メダル払出口１２や払い出されたメダルを受けるメダル受け皿１３が設けられている。
【００３２】
図２、図３に示すように、筺体２の内側には、ホッパ１５を有するメダル払出装置１６、３個のリール５ａ、５ｂ、５ｃを駆動するリールユニット５、電源ユニット１７、遊技の進行を制御する主制御基板１８等が設けられている。
【００３３】
主制御基板１８は、リールユニット５の上方に設けられている。この主制御基板１８は、遊技機１の遊技動作を制御するプログラムを記憶したＲＯＭや、他の基板、あるいは他の部品と信号線を介して接続するための接続端子２１等を備えている。
【００３４】
主制御基板１８には、レバー８、停止スイッチ９、ベットスイッチ１０等の操作による信号が入力される。これらの信号は、前扉３の裏側に設けられた扉中継基板２３を介して主制御基板１８に送信される。主制御基板１８は、これらの信号を取り込みながら、リールユニット５、メダル払出装置１６等を制御して、遊技の進行を制御するようになっている。
【００３５】
この遊技機１は、遊技者が所定の枚数のメダルを賭け、レバー８を操作してリール５ａ、５ｂ、５ｃを回転させ、停止スイッチ９を順次押してリール５ａ、５ｂ、５ｃを停止させることができ、リール５ａ、５ｂ、５ｃに記載された図柄がそろったときに、図柄に応じたメダルの払い出しがなされるようになっている。
【００３６】
この遊技動作を実現するために、遊技機１側の制御としては、遊技者の操作に応じてメダルの賭け枚数等を変更表示を行うとともに、図柄のそろった状態（以下、「入賞状態」という）を判定するために表示部に設定される有効ラインを設定する。そして、レバー８の操作入力を検知したことに伴って抽選を行い、同時にリール５ａ、５ｂ、５ｃを一斉に回転させる。
【００３７】
続いて、停止スイッチ９の操作入力の検出に応じて、順次対応するリール５ａ、５ｂ、５ｃを停止させる。停止時には各リール５ａ、５ｂ、５ｃに対して、レバー８の操作入力と同時に行った抽選の当否結果に基づいて、停止スイッチ９の操作入力を検出したタイミングから所定駒数の範囲内で停止するように制御する。
【００３８】
そして、停止させたときのリール５ａ、５ｂ、５ｃの位置データに基づいて、設定した有効ライン上に入賞状態が成立しているかどうかを判定して、成立している場合には、メダル払出装置１６を駆動して、入賞状態に応じたメダルを払い出す制御を行う。
【００３９】
これらの制御は、主制御基板１８上のＣＰＵが、種々の信号を取り込み、ＲＯＭに書き込まれたプログラムに基づいて各機器に向かって指令信号を発生することにより実現される。
【００４０】
図３〜図５に示すように、主制御基板１８はケース２５に収納されている。ケース２５は、主制御基板１８の表面側を被覆する第１ケース部材２５ａと、主制御基板１８の裏面側を覆う第２ケース部材２５ｂを有する。第１ケース部材２５ａと第２ケース部材２５ｂは、主制御基板１８を挟むように収納している。ケース２５は、取付板２６を介して筺体２側に固定される。取付板２６は、金属製で、平面視においてほぼ長方形状に形成されている。
【００４１】
第１ケース部材２５ａおよび第２ケース部材２５ｂは、透明または半透明の合成樹脂により成形されている。これによりケース２５は、内部に収納された主制御基板１８を外側から目視で確認できるようになっている。
【００４２】
図５に示すように、第１ケース部材２５ａには、複数の開口部２７が形成されており、この開口部２７から主制御基板１８に設けられた接続端子２１が外側に露出するようになっている。
【００４３】
第１ケース部材２５ａ及び第２ケース部材２５ｂは、平面視においてほぼ長方形状に形成されている。第２ケース部材２５ｂの互いに対向する２つの短辺のうち、一方の短辺には外方に延出する係合突起部２８が形成されている。
【００４４】
また、第１ケース部材２５ａの長辺部分には、複数のＬ字型の切欠部２９が形成されている。その突起部はその先端が第１ケース部材２５ａの長手方向に向いている。第２ケース部材２５ｂに形成される係合突起部２８に対面する第１ケース部材２５ａの短辺の部分には、係合突起部２８が挿通される挿通口（図示せず）が形成されている。
【００４５】
ケース２５を閉じる際には、第２ケース部材２５ｂに形成された突起部（図示せず）と第１ケース部材２５ａに形成される切欠部２９とを突き合わせ、また、係合突起部２８を前述の挿通口に差し込んだ状態で、第１ケース部材２５ａを第２ケース部材２５ｂに対して係合突起部２８が設けられた側とは逆側の短辺の方向に摺動させることによって、第１ケース部材２５ａは第２ケース部材２５ｂに取り付けられる。この後、後述する封止が行われる。
【００４６】
この状態では、第１ケース部材２５ａと第２ケース部材２５ｂは上記した摺動の方向と平行な方向には、互いに移動させることができるが、切欠部２９がＬ字状に形成されているために、摺動の方向と直交する方向には離脱不能となっている。
【００４７】
このケース２５には、第１ケース部材２５ａと第２ケース部材２５ｂとの結合状態を維持するとともにこのケース２５が遊技機１の筺体２側へ固定された状態で封止する第１封止手段３０が設けられている。また、このケース２５には、第１ケース部材２５ａと第２ケース部材２５ｂとの結合状態を維持して封止する第２封止手段３１が設けられている。
【００４８】
この第１封止手段３０は、ケース２５が不正に開けられて、主制御基板１８が不正なものに交換されたり、主制御基板１８のＲＯＭのプログラムが不正に改ざんされたりすることを防止するために、ケース２５が開かないように第１ケース部材２５ａと第２ケース部材２５ｂとを連結して結合させるとともに、この状態を保ちながらこのケース２５を遊技機１の筺体２側に固定するものである。
【００４９】
さらに、この第１封止手段３０は、所定の検査時には、ケース２５を筺体２から取り外すことができるとともに第１ケース部材２５ａと第２ケース部材２５ｂとの連結を解除することができるようになっている。第１封止手段３０は、その封止を解除したときに、解除の痕跡が残るようになっており、これによって、適切に検査がなされたかどうか、または、不正に封止が解除されたか否かを事後的に確認できるようになっている。
【００５０】
一方、第２封止手段３１は、ケース２５が不正に開けられて、主制御基板１８が不正なものに交換されたり、主制御基板１８のＲＯＭのプログラムが不正に改ざんされたりすることを防止するために、ケース２５が開かないように第１ケース部材２５ａと第２ケース部材２５ｂとを連結するものである。第２封止手段３１は、第１封止手段３０と同様に、検査等の際に、第１ケース部材２５ａと第２ケース部材２５ｂとの連結を解除でき、解除された痕跡を残すことができる。
【００５１】
図５、図９、図１３に示すように、第１封止手段３０は、第１ケース部材２５ａと第２ケース部材２５ｂとを連結する連結部材３３と、連結部材３３を受ける受け部材３４を有する。
【００５２】
図６に示すように、連結部材３３は、先端に第１係合爪３５を有するピン部３６と、円筒状の頭部３７と、ピン部３６と頭部３７とを連結する連結部３８を有する。連結部材３３の頭部３７の外周面には、第２係合爪４１、第３係合爪４２が設けられている。
【００５３】
ピン部３６は、二股状に形成されていて、第１片４４と第２片４５を有する。第１片４４と第２片４５は所定の間隔で離間されて形成されている。第１係合爪３５は、第１片４４と第２片４５のそれぞれに形成されている。
【００５４】
図７〜図１１に示すように、第１ケース部材２５ａには、連結部材３３を取り付けるための複数の第１取付部４７が設けられている。この実施形態では第１取付部４７の数は４である。第１取付部４７は円筒状に形成されている。第１取付部４７の底部４７ａには、連結部材３３のピン部３６が挿通される第１挿通孔４８が形成されている。この第１挿通孔４８は、円形に形成されており、その直径は、第１取付部４７の内径よりも小さくなっている。また、第１取付部４７の内面には、連結部材３３の第２係合爪４１が嵌る第１凹部５１、第３係合爪４２が嵌る第２凹部５２が形成されている。
【００５５】
図５、図１３に示すように、受け部材３４は内部が空洞とされた直方体状に形成されている。受け部材３４には、その内部に連結部材３３のピン部３６が収納される複数の第１収納部５４が形成されている。第１収納部５４は第１ケース部材２５ａに対応して設けられている。この実施の形態では、第１収納部５４の数は４である。第１収納部５４は、第１ケース部材２５ａの長手方向に直交する方向（以下、「第１ケース部材２５ａの幅方向」という）に沿って一列に並んで等間隔に配置されている。
【００５６】
図９〜図１１に示すように、第１収納部５４は、受け部材３４の内部にピン部３６の収納空間を形成する複数の仕切壁部５５と、連結部材３３がケース２５を封止しているときにピン部３６の第１係合爪３５を掛止する第１掛止部５６と、封止が解除されたときにピン部３６が第１収納部５４から抜け外れないようにする第１抜け止め部５７を有する。
【００５７】
仕切壁部５５は、受け部材３４の側壁とともにピン部３６の収納空間を形成している。
【００５８】
図１３に示すように、第１掛止部５６は、平面視において四角形状とされており、受け部材３４の頂面３４ａから突出するように形成されている。この第１掛止部５６には、ピン部３６の第１係合爪３５を掛止する掛止壁６１が設けられている。掛止壁６１にはピン部３６が挿通される円形の第２挿通孔６２が形成されている。なお、第２ケース部材２５ｂには、第１掛止部５６が嵌る貫通孔６４が形成されている。この貫通孔６４は、第１掛止部５６に対応して四角形状に形成されている。
【００５９】
図９〜図１１に示すように、第１抜け止め部５７は、受け部材３４の内部に設けられた抜け止め壁６６を有する。この抜け止め壁６６は、掛止壁６１とほぼ平行に設けられている。抜け止め壁６６には、ピン部３６が挿通される円形の第３挿通孔６７が形成されている。この第３挿通孔６７は、平面視において、掛止壁６１の第２挿通孔６２と同心状に形成されている。
【００６０】
図１３に示すように、受け部材３４の外面には、遊技機１の筺体２側に係止される係止突起７１が形成されている。係止突起７１は、受け部材３４の底部からこの受け部材３４の長手方向に対してほぼ直角な方向（以下、「受け部材３４の幅方向」という）に突出して形成されている。係止突起７１は、受け部材３４の幅方向の一方側に形成された１つの第１係止突起７１ａと、他方側に形成された２つの第２係止突起７１ｂ、７１ｂとを有する。
【００６１】
図１２に示すように、取付板２６には、受け部材３４を係止する係止部７３が形成されている。この係止部７３は、受け部材３４の第１係止突起７１ａを係止する第１係止部７３ａと、第２係止突起７１ｂを係止する第２係止部７３ｂとを有する。
【００６２】
第１係止部７３ａは、第１係止突起７１ａが挿脱される第１開口部７５と、第１開口部７５に挿入された第１係止突起７１ａを係止する第１係止片７６を有する。
【００６３】
第２係止部７３ｂは、取付板２６に設けられた第２開口部と、この第２開口部の縁からこの第２開口部の内側に突出して形成された第２係止片７９を有する。取付板２６には、受け部材３４の２つの第２係止部７３ｂ、７３ｂに対応して、２つの第２係止片７９、７９が設けられている。第２係止片７９は、取付板２６の表面側に突出して形成されている。
【００６４】
２つの第２係止片７９、７９の間には、受け部材３４が所定の取り付け位置に設けられるように案内するとともに、所定の取り付け位置でこの受け部材３４の位置決めを行う位置決め突起部８１が形成されている。
【００６５】
受け部材３４を取付板２６に係止させるには、まず、受け部材３４の第１係止突起７１ａを第１開口部７５に挿入し、次に第１係止突起７１ａが第１係止片７６に向かうように、受け部材３４を取付板２６の長手方向に直交する方向にスライドさせる。このとき、位置決め突起部８１に受け部材３４の側面があたり、受け部材３４が所定の方向にスライドするように案内される。
【００６６】
このように受け部材３４をスライドさせると、受け部材３４の第１係止突起７１ａは、第１係止片７６の裏側に回りこんでこの第１係止片７６に係止される。これと同時に受け部材３４の第２係止突起７１ｂは、第２係止片７９の裏側に回りこんで、この第２係止片７９に係止される。これによって受け部材３４は、取付板２６に係止される。この状態において、位置決め突起部８１は、受け部材３４の側面に当たってこの受け部材３４が取付板２６の長手方向に移動しないように位置決めを行う。
【００６７】
図７〜図１１に示すように、第１封止手段３０の連結部材３３は、第１ケース部材２５ａと第２ケース部材２５ｂとを連結せずに待機する待機状態、第１ケース部材２５ａと第２ケース部材２５ｂの結合（連結）状態を維持した状態でこのケース２５を筺体２側に固定して封止する封止状態、この封止を解除する解除状態へと位置変更可能となっている。
【００６８】
連結部材３３が待機状態から封止状態、解除状態に変更されたときの作用を説明する。
【００６９】
図７、図９に示すように、連結部材３３が待機位置にあるとき、この連結部材３３の第２係合爪４１が取付部の第１凹部５１に嵌っている。これにより連結部材３３は第１取付部４７に保持される。このとき、連結部材３３の第１係合爪３５は、第１取付部４７内に位置している。
【００７０】
図１０に示すように、この位置から頭部３７が押されると、第１凹部５１に嵌っていた第２係合爪４１が第１凹部５１から抜けはずれる。さらに、頭部３７が押されると、ピン部３６の先端が第１挿通孔４８を通じて第２挿通孔６２に挿通される。
【００７１】
このとき、二股状のピン部３６は、第１片４４と第２片４５との間隔が狭くなるように弾性変形を伴って第２挿通孔６２に挿通される。さらに頭部３７が押されて第１係合爪３５が受け部材３４の１掛止部５６の掛止壁６１を越えたとき、このピン部３６は、弾性変形が解除されて復元し、ピン部３６の第１片４４と第２片４５の間隔が元通りなる。
【００７２】
このとき、第１係合爪３５は第１掛止部５６の掛止壁６１に当たって保持され、これによって第１ケース部材２５ａと第２ケース部材２５ｂとが連結された状態を維持しながら、受け部材３４を介して筺体２側に固定され、ケース２５はこの状態で封止される。
【００７３】
この状態においては、受け部材３４が、第２ケース部材２５ｂの短辺側壁と当接状態にあり、第２ケース部材２５ｂの離脱方向への摺動を規制しているため、第１ケース部材２５ａと第２ケース部材２５ｂとは互いに離脱できないようになっている。
【００７４】
この封止を解除するには、まず、連結部材３３の連結部３８を切断し、切り離されたピン部３６を第１収納部５４側に押し込む。このとき、ピン部３６は、第１片４４と第２片４５の間隔が狭くなるように弾性変形しながら第３挿通孔６７に挿通される。ピン部３６がさらに押されて第１係合爪３５が第３挿通孔６７を越えたとき、弾性変形していたピン部３６が復元し、これによってピン部３６の抜け止めがなされることになる（図１１参照）。
【００７５】
図９に示すように、第２封止手段３１は、第１ケース部材２５ａと第２ケース部材２５ｂとを連結する連結部材３３を有する。この連結部材３３は、第１封止手段３０と同じものである。第１ケース部材２５ａには、この連結部材３３を取り付けるための第２取付部６７が設けられている。第１ケース部材２５ａには２つの第２連結部３８、３８が形成されている。第２取付部６７は、第１取付部４７と１列になるように並んで形成されている。また、２つの第２取付部６７、６７は、第１ケース部材２５ａの幅方向において、４つの第１取付部４７を挟むように配置されている。
【００７６】
第２取付部６７は、第１取付部４７と同様に円筒状に形成され、その底部に連結部材３３のピン部３６が挿通される第４挿通孔が形成されている。第２取付部６７の内面には、連結部材３３の第２係合爪４１、第３係合爪４２が嵌る第３凹部（図示略）、第４凹部８５が形成されている。
【００７７】
図７、図９〜図１１に示すように、第２ケース部材２５ｂには、第２封止手段３１の連結部材３３のピン部３６を収納する第２収納部８７が形成されている。この実施の形態では、２つの第２収納部８７、８７が第２ケース部材２５ｂに設けられている。この第２収納部８７は、連結部材３３が第１ケース部材２５ａと第２ケース部材２５ｂとを連結した状態で封止しているときに連結部材３３のピン部３６を掛止する第２掛止部８８と、封止が解除されたときに、ピン部３６が第２収納部８７から抜け外れないようにする第２抜け止め部８９を有する。
【００７８】
第２封止手段３１は、第１封止手段３０と同様に、連結部材３３を待機状態から、封止状態、解除状態へと状態を変更できるようになっている。
【００７９】
図４、図５に示すように、ケース２５は第１固定手段９１によって筺体２側に固定される。第１固定手段９１は、第２ケース部材２５ｂの１つの第２収納部８７から第２ケース部材２５ｂの長手方向に突出形成された板状の突起部９２と、この突起部９２を筺体２側に取り付ける取付具９３を有する。この突起部９２にはその厚さ方向に貫通した孔９５が形成されている。この孔９５は、取付具９３が挿通されるものである。この実施の形態では、取付具９３として、螺子が用いられる。取付板２６には、この螺子が嵌る螺子孔９６が形成されている。
【００８０】
螺子孔９６は、取付板２６の長手方向の一端部側に形成されている。図５に示すように、取付板２６の長手方向の他端部側には取付板２６の厚さ方向に突出する壁部９８が設けられており、この壁部９８には、第２ケース部材２５ｂの係合突起部２８が嵌るスリット９９が形成されている。
【００８１】
ケース２５を取付板２６に取り付けるには、係合突起部２８が形成されている側のケース２５の端部を取付板２６の中途部に当て、そのままケース２５をスリットに向かってスライドさせ、係合突起部２８をスリット９９にはめ込む。そして、第２ケース部材２５ｂの突起部９２に形成された孔９５と取付板２６に形成された螺子孔９６とを一致させて螺子を嵌める。これによってケース２５は取付板２６に固定される。このような構成により、ケース２５は突起部９２だけを固定することで簡単に取付板２６に固定できるようになり、取り付けの際に作業性の良いものになる。
【００８２】
取付板２６には、筺体２にこの取付板２６を取り付けるための取付孔１０１が形成されている。取付板２６は、この取付孔１０１を介して螺子、ピン、リベット等の締結具により筺体２の縦壁に固定されるようになっている。
【００８３】
第１封止手段３０、第２封止手段３１、および第１固定手段９１は、被覆部材１０４によって覆われている。図４、図１４、図１５に示すように、被覆部材１０４は、第２固定手段１０５によって筺体２側に固定されている。第２固定手段１０５は、遊技機１の筺体２側に係止されて被覆部材１０４を固定する固定部材１０６と、被覆部材１０４を固定部材１０６に取り付けるための固定具１０７を有する。この固定具１０７には、例えば螺子が用いられる。固定部材１０６は複数の固定具１０７を介して被覆部材１０４を筺体２側に固定できるようになっている。
【００８４】
この固定具１０７としては、磁化による電流ノイズの発生により、周辺の基板の機能に影響を与えることのないように、非導電性の合成樹脂製のものを用いることが好ましい。しかし、これに限らず、通常の磁性体の螺子等を用いることも可能である。
【００８５】
被覆部材１０４には、第１封止手段３０、第２封止手段３１を覆う被覆部１０９と、固定部材１０６および固定具１０７によって固定される固定部１１０が形成されている。被覆部材１０４の基部１０４ａには、フランジ部１１１が形成されている。
【００８６】
図１４，図１５に示すように、被覆部１０９の内側には、複数のリブ１１２が形成されている。各リブ１１２は、第１ケース部材２５ａの第１取付部４７と第１取付部４７との間、または、第１取付部４７と第２取付部６７との間に位置するように設けられている。
【００８７】
固定部１１０は、被覆部材１０４の基部１０４ａと頂面１０４ｂ（被覆部１０９の頂面）との間に位置するように設けられた壁部１１４を有する。この壁部１１４は、被覆部材１０４の頂面１０４ｂとほぼ平行に形成されている。この壁部１１４には、固定具１０７を挿通するための挿通孔１１５が形成されている。
【００８８】
この壁部１１４の外面には、固定具１０７を案内する筒状の案内部１１６が形成されている。本実施形態では、上述した理由から、固定具１０７は合成樹脂製のものが用いられているため、ドライバー等に磁着されることがないが、このような案内部１１６が形成されることで、固定具１０７を簡単に挿通孔１１５に挿通することができ、作業性の良い構造になっている。
【００８９】
被覆部材１０４の背面側の壁部１０４ｃには、複数の凹部１１７が形成されている。この凹部１１７は、第１ケース部材２５ａの表面側に形成されたリブ１１８（図３参照）が嵌るように構成されている。被覆部材１０４は、第１固定手段９１、第１封止手段３０、第２封止手段３１を覆っているときに、リブ１１８がこの凹部１１７に嵌ることで、その長手方向に動かないように位置決めがなされる。
【００９０】
固定部材１０６は、板状のベース部１２１と、受け部１２２と、取付板２６に係止される係止フック１２３を有する。受け部１２２は、筒状とされており、ベース部１２１の厚さ方向の一方の面（以下、「ベース部１２１の表面」という）から突出して形成されている。受け部１２２の内面には雌ねじが形成されている。ベース部１２１には４つの受け部１２２が形成されている。
【００９１】
係止フック１２３はベース部１２１の表面とは反対の面（ベース部１２１の裏面）から突出して形成されている。係止フック１２３は、ベース部１２１の長手方向の一端部に形成された第１係止フック１２３ａと、ベース部１２１の中途部に形成された２つの第２係止フック１２３ｂ、１２３ｂを有する。
【００９２】
固定部材１０６は、第１係止フック１２３ａを取付板２６の長辺部２６ａに掛けるとともに、第２係止フック１２３ｂを取付板２６に形成された第２係止部７３ｂに掛けることによって、取付板２６に係止される。
【００９３】
固定部材１０６が取付板２６に係止された状態で、被覆部材１０４を、第１固定手段９１、第１封止手段３０、第２封止手段３１を覆うように、かつ固定部材１０６の上に被せると、固定部材１０６の受け部１２２と被覆部材１０４の固定部１１０に形成された固定具１０７の挿通孔１１５とが一致する。この状態で固定具１０７を被覆部材１０４の外側から挿通孔１１５および受け部１２２に嵌めることにより、被覆部材１０４は取付板２６に固定される。
【００９４】
このとき、被覆部材１０４は、第１ケース部材２５ａの開口部２７から突出した接続端子２１から所定間隔はなれるように設けられることが望ましい。これにより、接続端子２１に信号線を着脱する際に、被覆部材１０４が邪魔になることがなく、本発明に係る固定構造は作業性の良いものになる。
【００９５】
このような構成の主制御基板１８の固定構造および遊技機１によれば、第１固定手段９１が被覆部材１０４に覆われ、この被覆部材１０４が第２固定手段１０５を介して筺体２側に固定されることによって、不正の目的で、主制御基板１８をケース２５ごと交換しようとする場合には、まず被覆部材１０４を筺体２から取り外さなければならなくなる。これによってケース２５が取り外されにくくなり、これによって不正行為を抑止できるようになる。
【００９６】
また、第１封止手段３０、第２封止手段３１が被覆部材１０４に覆われることによって、封止を解除することも難しくなり、これによってケース２５が開けられて主制御基板１８が交換されたり、主制御基板１８のＲＯＭのプログラムが書き換えられるといった不正行為をより一層抑止できるようになる。
【００９７】
さらに、被覆部材１０４を固定するために、固定部材１０６を用いることによって簡単かつ確実に被覆部材１０４を固定できるようになる。特に固定部材１０６は係止フック１２３を取付板２６の第２係止部７３ｂ等に係止させるだけで、簡単に取り付けられるため、取り付けの際の作業性が良いものになっている。
【００９８】
また、第２固定手段１０５は複数の固定具１０７によって被覆部材１０４を固定するため、被覆部材１０４を不正の目的で取り外そうとする場合に全ての固定具１０７を取り外さなければならず、取り外しに非常に手間がかかる。このことによっても不正行為を効果的に抑止できるようになる。
【００９９】
図１８は、本発明の他の実施形態を示している。上述した図１〜図１７の実施形態では、被覆部材１０４を筺体２側に固定するための第１固定手段９１は、固定部材１０６と固定具１０７として螺子を備えていたが、本実施形態では、螺子ではなく、連結部材１２６を用いる。この連結部材１２６は、頭部１２７とピン部１２８を有する。ピン部１２８は、二股状に構成されていて、第１片１２９と第２片１３０とを有する。第１片１２９と第２片１３０には、その先端部に第１固定手段９１の固定部材１０６に係合する係合爪１３１が形成されている。
【０１００】
第１固定手段９１の固定部材１０６には、受け部１２２に代えて、連結部材１２６のピン部３６を係止する受け部１３３が設けられている。受け部１３３は筒状とされており、その先端部に、ピン部１２８の係合爪１３１を係止する係止部１３４が形成されている。
【０１０１】
被覆部材１０４を第２固定手段１０５によって筺体２側に固定するには、上述した図１〜図１７の実施形態と同様に、固定部材１０６を取付板２６に係止させるとともに、被覆部材１０４の固定部１１０の挿通孔１１５と、固定部材１０６の受け部１３３とを一致させ、連結部材１２６のピン部１２８を挿通孔１１５から受け部１３３内に向かって挿通する。
【０１０２】
このとき、ピン部１２８は第１片１２９と第２片１３０との間隔が狭くなるように弾性変形する。さらにピン部１２８を受け部１３３側に押し込み、係合爪１３１が係止部１３４を越えて受け部１３３内に入ると、弾性変形していたピン部１２８が復元し、係合爪１３１が係止部１３４に係止される。これにより、被覆部材１０４は、第２固定手段１０５を介して筺体２側に固定される。
【０１０３】
その他の構成は、図１〜図１７の実施形態と同様の構成であり、同じ構成については説明を省略する。
【０１０４】
図１９は、本発明の他の実施形態を示している。上述した図１〜図１７の実施形態では、第２固定手段１０５は、固定部材１０６を備えていたが、本実施形態では、この固定部材１０６を備えていない。第２固定手段１０５は、被覆部材１０４の固定部１１０の内面側に設けられた筒部１３７とこの筒部１３７に嵌る螺子を有する。筒部１３７の内面には雌ねじが形成されている。
【０１０５】
図１９では、被覆部材１０４の内部に筒部１３７を設けた例を示したが、図２０に示すように、この筒部１３７を外側に被覆部材１０４の基部１０４ａから外側に突出するように構成してもよい。この筒部１３７は、図２０に示すように、筐体２への取り付け時に筐体２の背面壁２ａを貫通するよう、筐体２の背面壁２ａの厚さとほぼ同じ長さだけ被覆部材１０４の基部１０４ａから突出している。
【０１０６】
この場合においても、被覆部材１０４は、図２０に示すように、固定具１０７としての螺子を筐体２の外側から筒部１３７に嵌めることによって筐体２側に固定される。
【０１０７】
この構成によれば、例えば遊技機１がスロットマシンの場合、スロットマシンが設置された遊技場（ホール）の島設備に筐体２が固定された状態において、筐体２を取り外さなければ、固定具１０７を取り外すことができない状態になっており、前扉３を開けたとしても、被覆部材を取り外すことができない。したがって、このような構成によっても不正行為を効果的に防止できる。
【０１０８】
被覆部材１０４を筺体２側に固定するには、例えば筺体２の背面外側に螺子等の固定具の挿通孔を設け、固定具をこの挿通孔に挿通して被覆部材１０４の筒部１３７にはめ込むようにする。これによって、被覆部材１０４は、筺体２に直接固定される。
【０１０９】
その他の構成は、図１〜図１７の実施形態と同様の構成であり、同じ構成については説明を省略する。
【０１１０】
なお、本発明は上記した実施の形態に限らず、種々の変形・変更が可能である。
【０１１１】
例えば、上記の実施形態では、被覆部材１０４が第１封止手段３０、第２封止手段３１、第１固定手段９１を被覆していたが、本発明は、被覆部材１０４が第１封止手段３０、第１固定手段９１を被覆し、第２封止手段３１を被覆していない場合であっても効果を奏する。
【０１１２】
また、第１取付部４７、第２取付部６８、第１収納部５４、第２収納部８７の数は上記の実施形態に限定されず、適宜変更可能である。
【０１１３】
なお、本発明において、「筺体２側に固定される」とは、ケース２５、被覆部材１０４等が取付板２６を介して筺体２に固定される場合のみならず、取付板２６を介さずに筺体２に直接固定される場合を含む。
【０１１４】
また、固定具１０７は、螺子以外のピン等の締結具によって被覆部材１０４を筺体２側に固定するようにしてもよい。
また、本発明は、この筒状の案内部１１６によって、固定部材１０６の受け部１２２から取り外された固定具１０７を保持する構成を採用してもよい。
【０１１５】
すなわち、この構成は、図２１に示すように、被覆部材１０４案内部１４０が形成され、このスリット１４０に固定具１０７の軸部１０７ｂが入るとともに、固定具１０７の頭部１０７ａがスリットから抜けはずれないように案内部１１６に係止されるものである。
【０１１６】
スリット１４０は、筒状の案内部１１６の筒心方向に沿って長く形成されている。スリット１４０は、その長手方向に直交する方向の幅が固定具１０７の頭部１０７ａよりも小さく形成されている。このスリット１４０の幅は、固定具１０７の軸部１０７ｂよりも大きく形成されている。
【０１１７】
この構成では、案内部１１６が水平方向に向くように筐体２側に固定された場合において、固定部材１０６の受け部１２２から取り外した固定具１０７を保持できるようになっている。
【０１１８】
受け部１１６に取り付けられた固定具１０７を取り外したときにこの固定具１０７を案内部１１６によって保持するには、図２１に示すように、取り外した固定具の１０７の軸部１０７ｂをスリット１４０に挿通させる。スリット１４０は図２１に示すように、固定具１０７を受け部１２２から取り外したときに、固定具１０７の下方位置に形成されるのが望ましい。
【０１１９】
固定具１０７の軸部１０７ｂをスリット１４０に挿通すると、軸部１０７ｂは、図２１において２点差線で示すように、その自重によって下方を向いた状態になる。
【０１２０】
このとき、固定具１０７の頭部１０７ａは、スリット１４０の幅よりも大きく形成されているので、スリット１４０を通ることがない。したがって、固定具１０７の頭部１０７ａは、スリット１４０から抜け出ないように、案内部１１６の内側の面によって係止される。
【０１２１】
以上によって、この案内部１１６は、固定具１０７が受け部１２２から外されたときにこの固定具１０７を保持することができる。
【０１２２】
このような構成で固定具１０７を保持することによって、メンテナンス作業等の際に固定具１０７が取り外された場合に、この固定具１０７の紛失を防止できる。
【０１２３】
また、図２１に示すように、案内部１１６の内面と固定部１１０の壁部１１４との間に、受け部１２２から取り外された固定具１０７の軸部１０７ｂの先端をスリット１４０に案内する案内面１４１を形成してもよい。この案内面１４１に固定具１０７の軸部１０７ｂがスリット１４０に向かって案内されることにより、固定具１０７の軸部１０７ｂを簡単にスリット１４０に挿通できるようになる。
【０１２４】
また、固定部１１０の壁部１１４からの案内部１１６の高さは、固定具１０７の長さよりも大きくなっていてもよい。この場合、固定具１０７を取り外した際に、取り外した固定具１０７が案内部１１６によって受け止められるため、落下して紛失するというおそれもない。
【０１２５】
また、図２２に示すように、案内部１１６を円筒状に形成し、この案内部１１６の内側であってスリット１４０の両側に、固定具１０７の軸部１０７ｂが当たったときにスリット１４０に向かって案内する傾斜面１４２を形成するようにしてもよい。また、この傾斜面１４２は、案内部１１６を、三角筒状、四角筒状等の多角筒状に形成し、この内側に形成される斜面であってもよい。
【０１２６】
なお、このスリット１４０は案内部１１６の複数箇所に設けられていてもよい。
【図面の簡単な説明】
【０１２７】
【図１】本発明の一実施形態に係る遊技機の斜視図である。
【図２】同じく遊技機の扉が開かれた状態における斜視図である。
【図３】筺体の正面図である。
【図４】ケース、被覆部材、固定部材の斜視図である。
【図５】ケース、主制御基板、取付板の斜視図である。
【図６】連結部材を示し、（ａ）はその平面図、（ｂ）はその側面図、（ｃ）はその斜視図である。
【図７】連結部材が待機状態にあるときの斜視図である。
【図８】図７のＸ−Ｘ線における断面図である。
【図９】図７のＹ−Ｙ線における断面図である。
【図１０】連結部材が封止状態にあるときのケースの部分断面図である。
【図１１】封止が解除されたときのケースの部分断面図である。
【図１２】取付板の平面図である。
【図１３】受け部材の平面図である。
【図１４】被覆部材の平面図である。
【図１５】被覆部材の背面図である。
【図１６】固定部材の平面図である。
【図１７】固定部材の側面図である。
【図１８】本発明の他の実施形態を示す部分断面図である。
【図１９】本発明の他の実施形態を示す被覆部材の側面図である。
【図２０】図１９の実施形態における被覆部材の変形例を示す側面図である。
【図２１】被覆部材の変形例を示す部分断面図である。
【図２２】被覆部材の変形例を示す平面図である。
【符号の説明】
【０１２８】
１    遊技機
２    筺体
１８    主制御基板
２５    ケース
２５ａ  第１ケース部材
２５ｂ  第２ケース部材
３０    第１封止手段
３１    第２封止手段
９１    第１固定手段
１０４    被覆部材
１０５    第２固定手段
１０６    固定部材
１０７    固定具
【図１】
2008173379.tif 000003
【図２】
2008173379.tif 000004
【図３】
2008173379.tif 000005
【図４】
2008173379.tif 000006
【図５】
2008173379.tif 000007
【図６】
2008173379.tif 000008
【図７】
2008173379.tif 000009
【図８】
2008173379.tif 000010
【図９】
2008173379.tif 000011
【図１０】
2008173379.tif 000012
【図１１】
2008173379.tif 000013
【図１２】
2008173379.tif 000014
【図１３】
2008173379.tif 000015
【図１４】
2008173379.tif 000016
【図１５】
2008173379.tif 000017
【図１６】
2008173379.tif 000018
【図１７】
2008173379.tif 000019
【図１８】
2008173379.tif 000020
【図１９】
2008173379.tif 000021
【図２０】
2008173379.tif 000022
【図２１】
2008173379.tif 000023
【図２２】
2008173379.tif 000024